(57)【要約】【課題】用紙送りはページ単位に進行し、印刷中、プリンタ制御装置が次ページ用のページイメージデータが無いことを検出すると、用紙送りを停止する。この時、転写点から定着点間の用紙上には、未定着の状態でトナーが付着しており、定着点付近では通常の連続印刷時以上の印刷停止時間熱が加えられる。このためその部分の印刷結果が他の部分と異なり、画質が均一でないという課題があった。【解決手段】本発明は、上位システムから印刷データを受信、解析してイメージデータを生成し、プリンタエンジンを制御して印刷動作を制御するプリンタ制御装置において、プリンタエンジンへのイメージデータ送出終了による用紙送り停止前に、自動用紙送りを実行する機能を備えたことを特徴とする。【選択図】  図１
2004252232.tif 000002
【特許請求の範囲】
【請求項１】
上位システムから印刷データを受信、解析してイメージデータを生成し、プリンタエンジンを制御して印刷動作を制御するプリンタ制御装置において、プリンタエンジンへのイメージデータ送出終了による用紙送り停止前に、自動用紙送りを実行する機能を備え、未定着ページをすべて定着するようにしたことを特徴とする印刷制御方式。
【請求項２】
上位システムから印刷データを受信、解析してイメージデータを生成し、プリンタエンジンを制御して印刷動作を制御するプリンタ制御装置において、プリンタエンジンへのイメージデータ送出終了による用紙送り停止前に、用紙送りを実行する自動用紙送り機能及びを該自動用紙送り機能を操作パネルから選択する機能とを備え、未定着ページをすべて定着するようにしたことを特徴とする印刷制御方式。
【発明の詳細な説明】
【０００１】
【発明の属する技術分野】
本発明は、プリンタの印刷制御方式に関するものである。
【０００２】
【従来の技術】
従来の技術を図３、図４、図５により説明する。
【０００３】
図３は、プリンタのハードウェア構成の一例である。
【０００４】
プリンタハードウェアは、印刷を実行するプリンタエンジンとその印刷動作を制御するプリンタ制御装置とにより構成される。
【０００５】
ここで、プリンタ制御装置は、上位システムから送付される印刷データを受信するホストインターフェイス、エラー表示、オンライン・オフライン指定等のユーザインターフェイスを実現する操作パネル、受信した印刷データを解析してページイメージデータを作成する処理等、プリンタ制御装置のソフトウェアを実行するＣＰＵ、ページイメージデータのプリンタエンジン出力等、プリンタエンジンとのインターフェイスを行うエンジンインターフェイス、プリンタ制御装置のソフトウェア、ソフトウェアにより管理されるページイメージデータ及び各種情報等を格納するメモリ、により構成される。
【０００６】
図４は、プリンタ制御装置における印刷制御方式の一例である。
プリンタ制御装置ソフトウェアは、操作パネルを制御し、操作パネルより入力された各種情報のメモリへの格納等を行う操作パネル制御部と、格納された各種情報及び上位システムから送付されメモリに格納された印刷データを解析して、ページイメージデータをメモリに展開する印刷データ解析部と、プリンタエンジンを管理し、メモリに展開されたページイメージデータのプリンタエンジンへの送付等を制御するエンジン制御部とを持つ。ここで、エンジン制御部は、ページイメージデータの生成を検出すると、プリンタエンジンを起動し、必要に応じてメモリへ格納された各種情報を参照し、用紙送り及びページイメージデータの送出を開始して、印刷動作を実行する。ページイメージデータの送出完了前に、次ページ用のページイメージデータの生成を検出していれば、さらに印刷を続行する。また、エンジンへ送出するページイメージデータが無いことを検出すると、用紙送りを停止し、印刷動作を停止する。
【０００７】
図５は、連続紙用プリンタエンジン内での印刷工程の一例である。
光学部では、プリンタ制御装置から受信したページイメージデータをもとに、レーザ光のＯＮ／ＯＦＦを制御しながらレーザ光を感光ドラムに照射して感光ドラム上に電位差を生じさせる。現像機では、キャリアを帯電してトナーと攪拌しており、電位差が生じた感光ドラムが通過した際に、そのトナーが感光ドラムに付着する。そして、転写点において、給紙部から送られてきている用紙に、感光ドラム上に付着したトナーが転写される。尚、清掃部では、感光ドラム上に残ったトナー及び電位差の除去を行う。
【０００８】
用紙に付着したトナーは、定着機の熱により、定着点を通過するときに用紙に定着され、その後、排紙部へ送られる。
【０００９】
上記構成のプリンタは、例えば、特許文献１を参照されたい。
【特許文献１】
特開平６−２０２５６４号公報
【００１０】
【発明が解決しようとする課題】
上記したプリンタにおいては、用紙送りはページ単位に進行し、印刷中、プリンタ制御装置が次ページ用のページイメージデータが無いことを検出すると、用紙送りを停止する。この時、転写点から定着点間の用紙上には、未定着の状態でトナーが付着している。そして、定着点付近では、通常の連続印刷時以上の印刷停止時間熱が加えられる等のため、その部分の印刷結果が他の部分と異なり、画質が均一でないという課題があった。
【００１１】
本発明は、用紙送りの停止が発生しても均一の印刷画質を実現することを目的とする。
【００１２】
【課題を解決するための手段】
上記目的は、上位システムから印刷データを受信、解析してイメージデータを生成し、プリンタエンジンを制御して印刷動作を制御するプリンタ制御装置において、プリンタエンジンへのイメージデータ送出終了による用紙送り停止前に、自動用紙送りを実行する機能を備えることによって達成される。
【００１３】
【発明の実施の形態】
本発明の一実施例を、以下、図１、図２により説明する。
【００１４】
図１は、本発明の請求項１における一実施例である印刷制御方式におけるエンジン制御部の動作フローを示す。
【００１５】
まず、ページイメージデータの受信を確認し、受信していなければ、再度、ページイメージデータの受信を確認する。ページイメージデータを受信すると、プリンタエンジンを起動し、ページイメージデータの送信と紙送り開始を指示する。そして、本ページイメージデータの送出と紙送り終了前の任意のＴ１時間に到達するまで、ページイメージデータを受信したことを記憶していれば、Ｔ１時間前に到達するまで何もしない。ここで、ページイメージデータを受信したことを記憶していなければ、新たなページイメージデータの受信をチェックし、受信していなければ、Ｔ１時間前に到達するまで、新たなページイメージデータの受信のチェックを行う。ここで、受信していれば、ページイメージデータを受信したことを記憶する。Ｔ１時間前になると、ページイメージデータの受信記憶をチェックし、記憶していれば、該当ページイメージデータを次ページとして送信し、また、紙送りの実行を指示する。ここで、記憶していなければ、最終ページが定着されるまで紙送り実行を指示し、実行の完了を待ってエンジンを停止する。
【００１６】
図２は、本発明の請求項２における一実施例である印刷制御方式におけるエンジン制御部の動作フローを示す。
【００１７】
ここで、操作パネルからは、最終ページが定着されるまで紙送り実行の有無を選択でき、その選択値を自動紙送り有効／無効として記憶するものとする。
【００１８】
まず、ページイメージデータの受信を確認し、受信していなければ、再度、ページイメージデータの受信を確認する。ページイメージデータを受信すると、プリンタエンジンを起動し、ページイメージデータの送信と紙送り開始を指示する。そして、本ページイメージデータの送出と紙送り終了前の任意のＴ１時間に到達するまで、ページイメージデータを受信したことを記憶していれば、Ｔ１時間前に到達するまで何もしない。ここで、ページイメージデータを受信したことを記憶していなければ、新たなページイメージデータの受信をチェックし、受信していなければ、Ｔ１時間前に到達するまで、新たなページイメージデータの受信のチェックを行う。ここで、受信していれば、ページイメージデータを受信したことを記憶する。Ｔ１時間前になると、ページイメージデータの受信記憶をチェックし、記憶していれば、該当ページイメージデータを次ページとして送信し、また、紙送りの実行を指示する。ここで、記憶していなければ、操作パネルにより設定された自動紙送りが有効か無効かを判別し、有効であれば最終ページが定着されるまで紙送り実行を指示し、実行の完了を待ってエンジンを停止する。また、自動紙送りが無効であればエンジンを停止する。
【００１９】
【発明の効果】
本発明によれば、すべての未定着ページが定着されるように紙送りを実行するため、画質を均一にできる。
【図面の簡単な説明】
【図１】本発明の実施例におけるエンジン制御部の動作フロー図。
【図２】本発明の他の実施例におけるエンジン制御部の動作フロー図。
【図３】従来技術におけるプリンタハードウェア構成の一例を示す図。
【図４】従来技術における印刷制御方式の一例を示す図で。
【図５】連続紙用プリンタエンジン内での印刷工程の一例を示す図。
【図１】
2004252232.tif 000003
【図２】
2004252232.tif 000004
【図３】
2004252232.tif 000005
【図４】
2004252232.tif 000006
【図５】
2004252232.tif 000007